(57)【要約】【課題】カメラの起動時間が長くなることなく最適な電源電圧に設定する。【解決手段】第一、第二、第三の電源生成手段と、前記第一の電源生成手段からの電圧に応じて周波数が変化する発振手段と、前記発振手段の目標値と前記第一の電源生成手段の電圧設定値を記憶する記憶手段と、前記第一の電源生成手段および前記第二の電源生成手段からの電源を駆動電源とし、前記第一、前記第二、及び前記第三の電源生成手段、前記発振手段および前記記憶手段を制御するシステム制御手段とを備え、電源切断時に前記第一の電源生成手段の設定値を求め、その値を前記記憶手段に記憶し、電源起動時には前記記憶手段に記憶してある値を前記第一の電源生成手段に設定する。【選択図】図１
2016019007.tif 000002
【特許請求の範囲】
【請求項１】
通信制御により複数の電圧値に設定可能な第一の電源生成手段と、
前記第一の電源生成手段とは異なる電源を供給する第二の電源生成手段と、
前記第一の電源生成手段および前記第二の電源生成手段とは異なる電源を供給する第三の電源生成手段と、
前記第一の電源生成手段から供給される電圧に応じて周波数が変化する発振手段と、
前記発振手段の目標値および前記第一の電源生成手段の電圧を設定する値を記憶する記憶手段と、
前記第一の電源生成手段および前記第二の電源生成手段からの電源を駆動電源とし、前記第一の電源生成手段、前記第二の電源生成手段、前記第三の電源生成手段、前記発振手段および前記記憶手段の制御を行うシステム制御手段とを備え、
前記システム制御手段は、電源切断時に前記第一の電源生成手段の設定値を求め、その値を前記記憶手段に記憶し、電源起動時には後前記記憶手段に記憶してある値を前記第一の電源生成手段に設定することを特徴とするデジタルカメラ。
【請求項２】
電源切断時に前記第一の電源生成手段の設定値を求める際には、前記システム制御手段を駆動する電源以外の電源は切断してあることを特徴とする請求項１に記載のデジタルカメラ。
【請求項３】
通信制御により複数の電圧値に設定可能な第一の電源生成手段と、
前記第一の電源生成手段とは異なる電源を供給する第二の電源生成手段と、
前記第一の電源生成手段および前記第二の電源生成手段とは異なる電源を供給する第三の電源生成手段と、
前記第一の電源生成手段から供給される電圧に応じて周波数が変化する発振手段と、
前記発振手段の目標値および前記第一の電源生成手段の電圧を設定する値を記憶する記憶手段と、
前記第一の電源生成手段に接続され負荷電流を可変することが可能な負荷手段と、
前記負荷手段を前記第一の電源生成手段と接続したり切断したりするための負荷切替手段と、
前記第一の電源生成手段および前記第二の電源生成手段からの電源を駆動電源とし、前記第一の電源生成手段、前記第二の電源生成手段、前記第三の電源生成手段、前記発振手段、前記記憶手段、前記負荷手段および前記負荷切替手段の制御を行うシステム制御手段とを備え、
前記システム制御手段は、電源切断時、前記第一の電源生成手段の設定値を求める際には、前記負荷切替手段にて前記負荷手段を前記第一の電源生成手段に接続してから求め、その値を前記記憶手段に記憶し、電源起動時には後前記記憶手段に記憶してある値を前記第一の電源生成手段に設定することを特徴とするデジタルカメラ。
【請求項４】
電源切断時に前記第一の電源生成手段の設定値を求める際には、前記システム制御手段を駆動する電源以外の電源は切断してあることを特徴とする請求項３に記載のデジタルカメラ。
【請求項５】
前記第一の電源生成手段の求める設定値は、前記負荷手段が設定可能な複数の負荷に応じた複数の設定値を前記記憶手段に記憶することを特徴とする請求項３に記載のデジタルカメラ。
【請求項６】
電池電圧が所定値以下の場合には、前記負荷手段を制御しないことを特徴とする請求項３に記載のデジタルカメラ。
【請求項７】
電源起動時にはモードに応じた後前記記憶手段に記憶してある値を前記第一の電源生成手段に設定することを特徴とする請求項３に記載のデジタルカメラ。
【発明の詳細な説明】
【技術分野】
【０００１】
本発明は、デジタルカメラに関する。
【背景技術】
【０００２】
従来より、最適電圧配分スケーリング（いわゆるＡＶＳ：Aduptive Voltage Scaling）制御を行う電源システムが知られている（特許文献１参照）。このような電源を有するカメラにおいては、カメラの電源起動時に対象となる電源が所定の電圧になるように制御する必要がある。その制御を行う際には、負荷の変動による電圧の設定および読み取り精度の低下を回避するため、ＡＶＳ制御に必要でない電源を起動させないかまたは無負荷の状態で制御を行い、制御が終了してから他の電源の起動を開始したりしている。
【０００３】
図９、図１０および図１１を用いて説明する。メインスイッチ２０１が押されカメラ電源の起動を開始すると（Ｓ２３０１）、ｔ２２０１においてシステム部電源ＶＣＣ１の起動が開始し、ｔ２２０２においてシステム部電源ＶＣＣ２が起動を開始する。このシステム部電源ＶＣＣ２がＡＶＳ制御の対象となる電源であり、このシステム部電源ＶＣＣ２を最適な電圧に制御するための時間が、ｔ２２０３からｔ２２０４の期間となる。この期間に、システム制御部２０２は各部の初期設定を行い（Ｓ２３０２）、メモリー部２０２（ｃ）からシステム部電源ＶＣＣ２を最適な電圧に設定するためのターゲットとなる値を取得する（Ｓ２３０３）。その後、電源部２０３を制御しシステム部電源ＶＣＣ２の電圧を変更し、所定の電圧になるまで所定のステップずつ電圧を変更していく（Ｓ２３０４〜２３０７）。これらの制御が終わって初めて撮像部２０４の電源となる撮像部電源ＶＣＣ３の起動を開始する。
【０００４】
またカメラの起動時間を優先する制御を行う場合には、ｔ２２０３のタイミングで撮像部２０４の電源である撮像部電源ＶＣＣ３の起動を開始し、同時にシステム部電源ＶＣＣ２が所定の電圧になるように制御を行う。
【先行技術文献】
【特許文献】
【０００５】
【特許文献１】特開２００２−１９８７９１号公報
【発明の概要】
【発明が解決しようとする課題】
【０００６】
しかしながら、ｔ２２０４で撮像部電源ＶＣＣ３の起動を開始した場合には、ｔ２２０３からｔ２２０４の期間は待機時間となり、その分カメラの起動時間が長くなってしまう。そのため、撮影者の撮影したいタイミングにカメラの起動が間に合わない可能性があった。
【０００７】
一方、ｔ２２０３のタイミングで撮像部電源ＶＣＣ３の起動を開始した場合には、撮像部電源ＶＣＣ３の起動による負荷変動やノイズ、更には他の処理を行うことによる発生する負荷変動の影響を受けてしまう可能性があった。そのため、システム部電源ＶＣＣ２を最適な電圧に制御できない可能性があった。
【０００８】
本発明は、カメラの起動時間が長くなることなく最適な電源電圧に設定することを目的とする。
【課題を解決するための手段】
【０００９】
本発明に係るデジタルカメラの構成は、通信制御により複数の電圧値に設定可能な第一の電源生成手段と、前記第一の電源生成手段とは異なる電源を供給する第二の電源生成手段と、前記第一の電源生成手段および前記第二の電源生成手段とは異なる電源を供給する第三の電源生成手段と、前記第一の電源生成手段から供給される電圧に応じて周波数が変化する発振手段と、前記発振手段の目標値および前記第一の電源生成手段の電圧を設定する値を記憶する記憶手段と、前記第一の電源生成手段および前記第二の電源生成手段からの電源を駆動電源とし、前記第一の電源生成手段、前記第二の電源生成手段、前記第三の電源生成手段、前記発振手段および前記記憶手段の制御を行うシステム制御手段とを備え、前記システム制御手段は、電源切断時に前記第一の電源生成手段の設定値を求め、その値を前記記憶手段に記憶し、電源起動時には後前記記憶手段に記憶してある値を前記第一の電源生成手段に設定することを特徴とする。
【発明の効果】
【００１０】
本発明によれば、次の電源起動時にはカメラの起動時間を長くすることなく、最適な電源電圧を設定することが可能となる。
【図面の簡単な説明】
【００１１】
【図１】電源部のブロック図である。
【図２】デジタルカメラのブロック図である。
【図３】デジタルカメラの動作フローチャートである。
【図４】電源切断および起動を説明するフローチャートである。
【図５】電源切断および起動を説明するタイミング図である。
【図６】電源部のブロック図である。
【図７】電源切断および起動を説明するフローチャートである。
【図８】電源切断および起動を説明するタイミング図である。
【図９】従来の電源部のブロック図である。
【図１０】従来の電源起動時のタイミング図である。
【図１１】従来の電源起動時のフローチャートである。
【発明を実施するための形態】
【００１２】
＜第１の実施形態＞
本発明の実施の第１の形態について、図１から図５に基づいて説明すると以下のとおりである。
【００１３】
本実施形態におけるデジタルカメラの構成を図２に示す。１は被写体の光学像を固体撮像素子３に結像させるレンズ、２はシャッター機能を有しレンズ１を通った光量を制御するための絞りを兼ねた絞り・シャッター、３はレンズ１で結像された被写体光を電気信号として取り込むための固体撮像素子、４は固体撮像素子３や後述するＣＤＳ回路・クランプ回路・Ａ／Ｄ変換回路へ必要なパルスを発生するタイミングパルス発生回路、固体撮像素子３より出力される電気信号のクロックの除去やノイズの軽減するための相関二重サンプリングを行うＣＤＳ回路、所定の基準電圧にクランプするクランプ回路、アナログ信号からデジタル信号に変換するＡ／Ｄ変換回路を有するアナログフロントエンド＆ＴＧ部である。
【００１４】
５は表示や記録などをするために所望の形式となるように種々の信号処理や変換を行う信号処理部、６はレンズ１や絞り・シャッター２を駆動するための光学系駆動部、７は撮像装置全体の制御及び各種演算を行うシステム制御部、８は信号処理部５からの信号を受けＬＣＤ等に表示する表示部、９は画像データの記録又は読み出しを行うための半導体メモリー等の記録媒体、１０はデジタルカメラのすべてのブロックに電源を供給する電源部、１１はデジタルカメラの電源をオン、オフするためのメインスイッチを有するスイッチ部、１２はストロボ等の発光部である。
【００１５】
次に、本発明のデジタルカメラの基本動作を図３のフローチャートを用いて簡単に説明する。撮像装置は、スイッチ部１１のメインスイッチがオンされると（Ｓ３０１）電源部１０は動作を開始し、メイン電源およびコントロール系の電源を供給する。次にモードが撮影または再生かを判断し（Ｓ３０２）撮影モードであれば撮影シーケンスに入る。再生モードであった場合は再生シーケンスに行き、記録媒体９からデータを一旦信号処理部５に取り込み（Ｓ３３１）表示のための信号処理を行い、ＬＣＤ等に画像を表示する（Ｓ３３２）。その後、スイッチ部１１のメインスイッチがオフされるまで画像を表示し、スイッチ部１１のメインスイッチがオフされたら（Ｓ３３３）画像の表示を中止し電源をオフする。
【００１６】
Ｓ３０２の判断において撮影シーケンスに入った場合は、ＡＦレンズのレンズ位置をリセット位置まで駆動し（Ｓ３０３）、固体撮像素子３やアナログフロントエンド＆ＴＧ部４など撮像系回路の電源をオンする。システム制御部７の制御により光学系駆動部６からの信号で絞り・シャッター２をまず開放にした後（Ｓ３０４）測光シーケンスに入り、固体撮像素子３を通った信号をアナログフロントエンド＆ＴＧ部４のＣＤＳ回路で相関二重サンプリング、クランプ回路でＯＢ部をクランプ、Ａ／Ｄ変換回路でＡ／Ｄ変換を行い、その変換された画像データを信号処理部５で処理し、更にシステム制御部７に入力しここで測光値から露出制御値を演算する（Ｓ３０５）。この演算結果に応じてシステム制御部７はプログラム線図により、絞り、シャッタースピード決定し制御する（Ｓ３０６）。
【００１７】
その後、ストロボのモードを確認し（Ｓ３０７）ストロボのモードがオフでなければメインコンデンサに充電を行う（Ｓ３０８）。更に表示モードを確認し（Ｓ３０９）、表示ＯＮのモードであればＬＣＤ等の表示を行い（Ｓ３１０）、そうでない場合はレリーズスイッチの第１のスイッチがオンされるまで待機する。
【００１８】
第１のスイッチがオンされると（Ｓ３１１）、再び測光シーケンスに入り測光および演算を行い（Ｓ３１２）、その結果に応じてシステム制御部７は再度プログラム線図により、絞り、シャッタースピード決定し再度制御する（Ｓ３１５）。このときＳ３１２の測光の結果、ストロボ等の補助光が必要なくらい暗いと判断した場合やストロボ発光モードがオンとなっていた場合（Ｓ３１３）には、ストロボ発光のための発光フラグをセットしメインコンデンサに補充電を行なう（Ｓ３１４）。
【００１９】
次に、固体撮像素子３、アナログフロントエンド＆ＴＧ部４を通った信号から信号処理部５で高周波成分を取り出し被写体までの距離の演算をシステム制御部７で行う（Ｓ３１６）。その後レンズを駆動して合焦か否かを判断し（Ｓ３１７）、合焦していないと判断したときは再びレンズを駆動し測距を行う。
【００２０】
合焦後、レリーズスイッチの第２のスイッチがオンされるまで待機し、第２のスイッチがオンされ（Ｓ３１８）、ストロボの発光を行わない場合には静止画の露光を行う（Ｓ３２１）。Ｓ３１９で発光フラグがセットされているか否かを確認し、ストロボを発光する場合にはストロボシーケンスに入る（Ｓ３２０）。
【００２１】
本露光が終了すると、固体撮像素子３、アナログフロントエンド＆ＴＧ部４を通った画像データは信号処理部５で所望の信号処理を行い、システム制御部７の制御により半導体メモリー等の記録媒体９に記録される。この時第２のスイッチが押され続けていた場合は（Ｓ３２２）、ＬＣＤ等に画像を表示し（Ｓ３２３）第２のスイッチがオフされるまで表示し続け、オフされた時には表示を止めて撮影を終了する。Ｓ３１８ではじめから第２のスイッチがオフだった場合は、表示は行わずに撮影を終了する。スイッチ部１１のメインスイッチがオフされていなければ（Ｓ３２４）、レリーズスイッチの第１のスイッチが押されるまでのシーケンスを再度行い、レリーズスイッチの第１のスイッチがオンされるまで待機する。スイッチ部１１のメインスイッチがオフされれば光学ブロックの各メカは所定の位置に戻りメインの電源を切る。
【００２２】
以下、本発明の第１の実施形態におけるストロボ発光制御について、図１の電源部のブロック構成図、図４の電源切断および投入のフローチャート、図５のタイミング図を用いて説明する。なお図１に示すブロック構成図は、本発明の説明に必要な一部分だけを記載している。
【００２３】
図１において１０１はデジタルカメラを駆動する主たる電池、１０２はメインスイッチ１１（ａ）とシステム制御部７から制御信号を入力しスイッチングレギュレータコントローラ１０３への制御信号を出力する論理回路、１０３はスイッチングレギュレータコントローラ、１０４は電源部１０から供給される電源ＶＣＣ３を電源として駆動する撮像部、また、１０３（ａ）はスイッチングレギュレータコントローラ制御部、１０３（ｂ）は電池１０１の電圧を検出するための電圧検出回路、１０３（ｃ）は電圧ＶＣＣ１を生成する第１のＤＣＤＣコンバータ部、１０３（ｄ）は電圧ＶＣＣ２を生成する第２のＤＣＤＣコンバータ部、１０３（ｅ）は電圧ＶＣＣ３を生成する第３のＤＣＤＣコンバータ部、７（ａ）はシステム制御部７ありにカメラ全体を制御する制御部、７（ｂ）はシステム制御部７あるリングオシレータ部、７（ｃ）はシステム制御部７ありリングオシレータ回路７（ｂ）や第２のＤＣＤＣコンバータ部に設定する電圧に対応する設定値を記憶するためのメモリー部、１１（ａ）はスイッチ部１１にありカメラの電源のオン、オフを行うメインスイッチである。
【００２４】
次に図１のブロック図、図４のフローチャート、および図５のタイミング図に従って説明する。電源切断シーケンスに入ると、ｔ５１にてシステム制御部７は撮像部１０４の電源ＶＣＣ３を切断（Ｓ４０１）すると当時に、ＡＶＳ制御を行うために必要な電源以外の電源を切断する。更に、システム制御部７の制御により、ＡＶＳ制御を行うため以外の制御は全て終了する。本発明における構成では、電源ＶＣＣ２がＡＶＳ制御の対象となる電源であり、この電源ＶＣＣ２の電圧に応じてリングオシレータ部７（ｂ）の回転数が変化する。
【００２５】
システム制御部７は、メモリー部７（ｃ）からリングオシレータ回路７（ｂ）の目標となる回転数であるターゲット値を取得すると（Ｓ４０２）、電源ＶＣＣ３が十分に立ち下がったｔ５２にて電源ＶＣＣ２の電圧を変化させるため、電圧を設定するデータをスイッチングレギュレータコントローラ１０３へ送る（Ｓ４０３）。この時電源ＶＣＣ２を変化させる電圧範囲は所定の値であり、電源仕様を満足させつつ電圧を変化させる必要があるため、少しずつ変化させる制御となる。電源ＶＣＣ２の電圧が変化し、リングオシレータ回路７（ｂ）の回転数が安定するまで所定の時間を待った後に（Ｓ４０４）、システム制御部７はリングオシレータ回路７（ｂ）の回転数を取得する（Ｓ４０５）。その値が、Ｓ４０２で得られたターゲット値に達しているか否かを判断し（Ｓ４０６）、達していない場合には再度Ｓ４０３のステップへ戻り電源ＶＣＣ２の電圧を再度設定する。Ｓ４０６でリングオシレータ回路７（ｂ）の回転数が所定の回転数に達した場合には、ｔ５３にて電源ＶＣＣ２への制御を終了し、現在電圧ＶＣＣ２に設定している設定値をメモリー部７（ｃ）に書き込む（Ｓ４０７）。その後、システム制御部７は切断シーケンスに従ってｔ５４にて電源ＶＣＣ２を、ｔ５５にて電源ＶＣＣ１を切断し（Ｓ４０８）、ｔ５７に全ての電源が十分に立ち下がる。
【００２６】
このような制御により、電源ＶＣＣ２は所定の安定した負荷の状態で制御することができ、リングオシレータ回路７（ｂ）の回転も安定するため、精度の良い設定値を求めることができる。
【００２７】
次に、電源投入シーケンスを説明する。ｔ５７にてメインスイッチ１１（ａ）がオンされると、論理回路１０２からＨＩが出力され電源部１０は起動を開始する（Ｓ４５１）。まず電源ＶＣＣ１が起動を開始しｔ５８にて電源ＶＣＣ１が十分に立ち上がると電源ＶＣＣ２が起動を開始する。ｔ５９にて電源ＶＣＣ２が所定の電圧に達した後、システム制御部７は必要な初期設定を行う（Ｓ４５２）。初期設定を行った後、システム制御部７は電源ＶＣＣ３などのシステム系以外のブロックへ供給される電源を起動させる（Ｓ４５３）と同時に、メモリー部７（ｃ）から電源ＶＣＣ２の電圧設定値を取得する（Ｓ４５４）。その後、システム制御部７はスイッチングレギュレータコントローラ１０３へ電源ＶＣＣ２を制御するための所定ステップ分の設定値を送る（Ｓ４５５）。更に、所望の設定値に達するまで所定時間毎に所定の電圧範囲において繰り返す。Ｓ４５６にて所望の設定値に達したらシーケンスを終了する。その結果、ｔ６０以降電源ＶＣＣ２は所定の電圧となる。
【００２８】
このように、電源起動時には所定の設定値に設定するだけの制御となる。そのため、リングオシレータ回路７（ｂ）の回転の安定を待って回転数を検出する必要が無く、更には他の電源の起動やカメラの様々な処理と同時に行うことができるので、カメラの起動時間に影響を与えることなく制御が可能となる。また、自らの電源の負荷変動や他の電源の影響を受けることなく制御できるので、リングオシレータ回路７（ｂ）のターゲット値により近くなるような精度の高い制御が可能となる。
【００２９】
＜第２の実施形態＞
以下、本発明の第２の実施形態におけるストロボ発光制御について、図６の構成図、図７のフローチャート、図８のタイミング図を用いて説明する。
【００３０】
なお、デジタルカメラの構成を示す図２のブロック図、デジタルカメラの基本動作を示す図３のフローチャートは本発明実施の第２の形態をも示し説明は省略する。また、図６の構成は図１と同様の構成部には同じ記号を、図７のフローは図４と同様のステップには同じ記号を、図８のタイミングは図５と同様のタイミングには同じ記号を付してある。
【００３１】
図６において１０５は電源ＶＣＣ２に接続される負荷をシステム制御部７の制御によりオン、オフする負荷スイッチ、１０６は電源ＶＣＣ２に接続され可変可能な可変負荷部、７（ｄ）は電源ＶＣＣ２の電圧を検出しデジタルデータに変換するためのＡ／Ｄ変換部である。
【００３２】
電源切断シーケンスに入ると、ｔ５１にてシステム制御部７は撮像部１０４の電源ＶＣＣ３を切断（Ｓ４０１）すると当時に、ＡＶＳ制御を行うために必要な電源以外の電源を切断する。更に、システム制御部７の制御により、ＡＶＳ制御を行うため以外の制御は全て終了する。本発明における構成では、電源ＶＣＣ２がＡＶＳ制御の対象となる電源であり、この電源ＶＣＣ２の電圧に応じてリングオシレータ部７（ｂ）の回転数が変化する。システム制御部７は、メモリー部７（ｃ）からリングオシレータ回路７（ｂ）の目標となる回転数であるターゲット値を取得する（Ｓ４０２）。次に電池１０１の電圧を検出し所定値以上か否かを判断する（Ｓ１００１）。電圧が所定値以上であればＳ１１０２へ行き負荷回路をオンする。そうでない場合は負荷回路の制御は行わずＳ４０３へ行く。
【００３３】
電源ＶＣＣ３が十分に立ち下がったらｔ１２１にてシステム制御部７は負荷スイッチ１０５を制御し（Ｓ１１０２）、所定の負荷電流値となるように可変負荷部１０６の負荷を制御する（Ｓ１１０３）。その後、システム制御部７は、電源ＶＣＣ２の電圧を変化させるためｔ５２にて電圧を設定するデータをスイッチングレギュレータコントローラ１０３へ送る（Ｓ４０３）。この時電源ＶＣＣ２を変化させる電圧範囲は所定の値であり、電源仕様を満足させつつ電圧を変化させる必要があるため、少しずつ変化させる制御となる。電源ＶＣＣ２の電圧が変化し、リングオシレータ回路７（ｂ）の回転数が安定するまで所定の時間を待った後に（Ｓ４０４）、システム制御部７はリングオシレータ回路７（ｂ）の回転数を取得する（Ｓ４０５）。その値が、Ｓ４０２で得られたターゲット値に達しているか否かを判断し（Ｓ４０６）、達していない場合には再度Ｓ４０３のステップへ戻り電源ＶＣＣ２の電圧を再度設定する。Ｓ４０６でリングオシレータ回路７（ｂ）の回転数が所定の回転数に達した場合には、ｔ５３にて電源ＶＣＣ２への制御を終了し、現在電圧ＶＣＣ２に設定している設定値をメモリー部７（ｃ）に書き込む（Ｓ４０７）。
【００３４】
次に、所定回数可変負荷部１０の負荷を変更したかを判断し（Ｓ１１０３）、所定回数に達していない場合はＳ１１０２に戻り、可変負荷部１０６の負荷を再設定する。Ｓ１１０３で所定回数に達した場合は、システム制御部７は切断シーケンスに従ってｔ５４にて電源ＶＣＣ２を、ｔ５５にて電源ＶＣＣ１を切断し（Ｓ４０８）、ｔ５７に全ての電源が十分に立ち下がる。
【００３５】
このような制御により、電源ＶＣＣ２は所定の安定した負荷の状態で制御することができ、リングオシレータ回路７（ｂ）の回転も安定するため、精度の良い設定値を求めることができる。また、各カメラモードにおける負荷に相当するように負荷手段の負荷を変更するので、各カメラモードに最適な電圧設定値を求めることができる。
【００３６】
次に、電源投入シーケンスを説明する。ｔ５７にてメインスイッチ１１（ａ）がオンされると、論理回路１０２からＨＩが出力され電源部１０は起動を開始する（Ｓ４５１）。まず電源ＶＣＣ１が起動を開始しｔ５８にて電源ＶＣＣ１が十分に立ち上がると電源ＶＣＣ２が起動を開始する。ｔ５９にて電源ＶＣＣ２が所定の電圧に達した後、システム制御部７は必要な初期設定を行う（Ｓ４５２）。初期設定を行った後、システム制御部７はカメラのスイッチ部１１のモードスイッチの状態からカメラのモードを判断する（Ｓ１１５１）。その後、電源ＶＣＣ３などのシステム系以外のブロックへ供給される電源を起動させる（Ｓ４５３）と同時に、メモリー部７（ｃ）から電源ＶＣＣ２の電圧設定値を取得する（Ｓ４５４）。
【００３７】
その後、システム制御部７はスイッチングレギュレータコントローラ１０３へ電源ＶＣＣ２を制御するための所定ステップ分の設定値を送る（Ｓ４５５）。更に、所望の設定値に達するまで所定時間毎に所定の電圧範囲において繰り返す。Ｓ４５６にて所望の設定値に達したらシーケンスを終了する。その結果、ｔ６０以降電源ＶＣＣ２は所定の電圧となる。
【００３８】
このように、電源起動時にはカメラのモードに応じた所定の設定値に設定するだけの制御となる。そのため、リングオシレータ回路７（ｂ）の回転の安定を待って回転数を検出する必要が無く、更には他の電源の起動やカメラの様々な処理と同時に行うことができるので、カメラの起動時間に影響を与えることなく制御が可能となる。また、自らの電源の負荷変動や他の電源の影響を受けることなく制御できるので、より精度の高い制御が可能となる。
【符号の説明】
【００３９】
１  レンズ、２  絞り・シャッター、３  固体撮像素子、５  信号処理部、
６  光学系駆動部、７  システム制御部、８  表示部、９  記録媒体
【図１０】
2016019007.tif 000003
【図１】
2016019007.tif 000004
【図２】
2016019007.tif 000005
【図３】
2016019007.tif 000006
【図４】
2016019007.tif 000007
【図５】
2016019007.tif 000008
【図６】
2016019007.tif 000009
【図７】
2016019007.tif 000010
【図８】
2016019007.tif 000011
【図９】
2016019007.tif 000012
【図１１】
2016019007.tif 000013